(57)【要約】【課題】撮像素子の動作制御を行う温度センサが故障等による異常が発生した場合、撮像素子への影響を最小限に抑える撮像装置を提供する。【解決手段】撮像素子近傍の第１の温度センサと、撮像装置内部の第２の温度センサと、撮像装置内部の第３の温度センサと、  第２及び第３の温度センサの出力値に基づく第１の温度センサの予測出力値の演算手段と、  撮像装置がライブビュー動作中ではないとき、第１と第２の温度センサの出力値との差の絶対値、または第１と第３の温度センサの出力値との差の絶対値が第１の所定値より大きく、  かつ、第２と第３の温度センサの出力値との差が第１の所定値よりも小さい値で第２の所定値より小さい、という条件を満たすかの判定手段と、  この条件を満たさないとき、第１の温度センサの出力値で撮像素子を制御すると共に、条件を満たすとき第１の温度センサの予測出力値で撮像素子を制御する制御手段とを有する。【選択図】            図１
2011082790.tif 000002
【特許請求の範囲】
【請求項１】
撮像素子を備える撮像装置であって、
前記撮像素子の近傍の温度を測定する第１の温度センサと、
前記撮像装置内部の温度を測定する第２の温度センサと、
前記撮像装置内部の温度を測定する第３の温度センサと、
前記第２の温度センサの出力値と前記第３の温度センサの出力値に基づいて前記第１の温度センサの予測出力値を演算する演算手段と、
前記撮像装置がライブビュー動作中ではないときに、前記第１の温度センサの出力値と前記第２の温度センサの出力値との差の絶対値、
または、前記第１の温度センサの出力値と前記第３の温度センサの出力値との差の絶対値が第１の所定値より大きく、
かつ、前記第２の温度センサの出力値と前記第３の温度センサの出力値との差が前記第１の所定値よりも小さい値で第２の所定値より小さい、という条件を満たすかどうかを判定する判定手段と、
前記判定手段によって前記条件を満たさないと判定されるときには、前記第１の温度センサの出力値で前記撮像素子を制御すると共に、
前記条件を満たすと判定されるときには前記演算手段によって演算される前記第１の温度センサの予測出力値を用いて前記撮像素子を制御する制御手段と、
を有することを特徴とする撮像装置。
【請求項２】
前記演算手段は、前記第３の温度センサの出力値から前記第２の温度センサの出力値を減算した値が０以下である場合には、
前記第３の温度センサの出力値を前記第１の温度センサの予測出力値とし、
前記第３の温度センの出力値から前記第２の温度センサの出力値を減算した値が０より大きい場合には、
前記第３の温度センサの出力値に、前記第３の温度センサの出力値と前記第３の温度センサの出力値から前記第２の温度センサの出力値を減算した値に所定の係数を乗じた値を加えた値を前記第１の温度センサの予測出力値とすることを特徴とする請求項１に記載の撮像装置。
【請求項３】
前記第１の温度センサは前記撮像素子が実装される基板に実装される温度センサであり、
前記第２の温度センサは画像の輝度を測定する測光センサ内部の温度センサであり、
前記第３の温度センサは画像データを記録する記録部の近傍に配置される温度センサであることを特徴とする請求項１または２に記載の撮像装置。
【発明の詳細な説明】
【技術分野】
【０００１】
本発明は、撮像素子を備えた撮像装置であって、特に、撮像装置内部の複数個所に温度センサを備えた撮像装置に関する。
【背景技術】
【０００２】
従来の撮像素子を持つ撮像装置において、温度変化に伴う出力を補償するために撮像素子の近傍に温度センサを持ち、その動作制御に撮像素子近傍にある温度センサ出力を用いる方法がある（特許文献１参照）。
【先行技術文献】
【特許文献】
【０００３】
【特許文献１】特開平１１−２９８７９９号公報
【発明の概要】
【発明が解決しようとする課題】
【０００４】
しかしながら、従来例のものにおいては、つぎのような課題を有している。
例えば、特許文献１の撮像装置によると、温度センサの出力に何らかの原因で異常が生じた場合、実際の撮像素子の温度とは異なる温度で撮像素子の出力が補正されることになるという課題がある。
【０００５】
本発明は、上記課題に鑑み、撮像素子の動作制御を行うための温度センサが故障等による異常が発生した場合でも、撮像素子への影響を最小限に抑えることが可能な撮像装置の提供を目的とする。
【課題を解決するための手段】
【０００６】
本発明は、撮像素子を備える撮像装置であって、
前記撮像素子の近傍の温度を測定する第１の温度センサと、
前記撮像装置内部の温度を測定する第２の温度センサと、
前記撮像装置内部の温度を測定する第３の温度センサと、
前記第２の温度センサの出力値と前記第３の温度センサの出力値に基づいて前記第１の温度センサの予測出力値を演算する演算手段と、
前記撮像装置がライブビュー動作中ではないときに、前記第１の温度センサの出力値と前記第２の温度センサの出力値との差の絶対値、
または、前記第１の温度センサの出力値と前記第３の温度センサの出力値との差の絶対値が第１の所定値より大きく、
かつ、前記第２の温度センサの出力値と前記第３の温度センサの出力値との差が前記第１の所定値よりも小さい値で第２の所定値より小さい、という条件を満たすかどうかを判定する判定手段と、
前記判定手段によって前記条件を満たさないと判定されるときには、前記第１の温度センサの出力値で前記撮像素子を制御すると共に、
前記条件を満たすと判定されるときには前記演算手段によって演算される前記第１の温度センサの予測出力値を用いて前記撮像素子を制御する制御手段と、を有することを特徴とする。
【発明の効果】
【０００７】
本発明によれば、撮像素子の動作制御を行うための温度センサが故障等による異常が発生した場合でも、撮像素子への影響を最小限に抑えることが可能となる。
【図面の簡単な説明】
【０００８】
【図１】本発明の実施形態における電子カメラの構成を説明するブロック図。
【図２】本発明の実施形態における電子カメラ内部での各温度計の配置場所を説明する図。
【図３】本発明の実施形態における電子カメラのライブビュー動作中の各温度計温度変化を示す図。
【図４】本発明の実施形態における給電制御を説明するフローチャート。
【発明を実施するための形態】
【０００９】
図１は本発明の実施の形態に適用される撮像装置としての電子カメラ１００の構成を示すブロック図である。
本実施の形態の電子カメラ１００は、レンズユニット３００内の撮影レンズ３１０に入射した光束が、絞り３１２、シャッタ１２を通過して撮像素子１４上に光学像として結像する。撮像素子１４は結像した光学像を電気信号に変換する。
Ａ／Ｄ変換器１６は撮像素子１４から出力されるアナログ信号をディジタル信号に変換する。
タイミング発生回路１８は撮像素子１４、Ａ／Ｄ変換器１６およびＤ／Ａ変換器２６にクロック信号や制御信号を供給し、メモリ制御回路２２およびシステム制御部５０によって制御される。
図２は電子カメラ１００の内部構造の一部を示したものである。図２において、撮像素子１４はフレキシブル基板１４−２に実装されている。フレキシブル基板１４−２の撮像素子１４が実装される面とは反対側の面に温度センサ１４−１が実装されている。第１の温度センサ１４−１は撮像素子１４の近傍の温度を測定している。
一般的に撮像素子は温度によって欠陥画素の数が変化するので、第１の温度センサ１４−１の出力を用いて、撮像素子１４の欠陥画素補正の制御を変更している。また、撮像素子１４から出力される信号の位相が温度によって変化するので、第１の温度センサ１４−１の出力を用いて、Ａ／Ｄ変換器１６の動作タイミングを変更しなければ、撮像素子１４の出力をＡ／Ｄ変換することができない。
【００１０】
画像処理回路２０は、Ａ／Ｄ変換器１６からのデータあるいはメモリ制御回路２２からのデータに対して所定の画素補間処理や色変換処理を行う。
画像処理回路２０は必要に応じて撮像した画像データを用いて所定の演算処理を行う。
また、得られた演算結果に基づき、システム制御部５０がＡＦ（オートフォーカス）処理、ＡＥ（自動露出）処理およびＥＦ（フラッシュ調光）処理を行う。
また、画像処理回路２０は、撮像した画像データを用いて所定の演算処理を行い、得られた演算結果に基づいてＡＷＢ（オートホワイトバランス）処理を行う。尚、本実施形態では、ＡＦセンサ４２および測光センサ４６を専用に備えている。
そのためシステム制御部５０は、ＡＦセンサ４２および測光センサ４６を用いてＡＦ、ＡＥ、ＥＦの各処理を行う。
測光センサ４６は測光センサ内部に第２の温度センサ４６−１を備えている。第２の温度センサ４６−１は測光センサ４６の温度を測定している。すなわち、第２の温度センサ４６−１は撮像装置内部の温度を測定している。
測光センサ４６は第２の温度センサ４６−１の出力に基づいて、測光センサ４６のゲイン調整を行っている。測光センサ４６は図２に示すようにペンタプリズム１３２の射出面の近傍に配置されている。
【００１１】
メモリ制御回路２２は、Ａ／Ｄ変換器１６、タイミング発生回路１８、画像処理回路２０、画像表示メモリ２４、Ｄ／Ａ変換器２６、メモリ３０および圧縮・伸長回路３２を制御する。
Ａ／Ｄ変換器１６からのデータは、画像処理回路２０およびメモリ制御回路２２を介して、あるいは直接、メモリ制御回路２２を介して画像表示メモリ２４あるいはメモリ３０に書き込まれる。
画像表示メモリ２４に書き込まれた表示用の画像データはＤ／Ａ変換器２６を介して画像表示部２８に表示される。
撮像された画像データを画像表示部２８で逐次表示するライブビュー機能を実現することが可能である。すなわち、ライブビュー開始スイッチ１１３が操作されることで、撮像素子１４によって撮像される画像を逐次、画像表示部２８に表示して、ライブビューを開始する。ライブビューが開始されている状態で、ライブビュー開始スイッチ１１３が操作されると、ライブビューが終了する。時計１６０はライブビューが終了してから経過した時間を計測するものである。時計１６０によって計測された時間はシステム制御５０のメモリ５２に記憶される。なお、時計１６０は電源８８の接続が絶たれた状態でも時計用電池１６１により電源を供給される。
また、この画像表示部２８は画像データだけでなく、各設定情報の表示や、電池残量の表示なども同時に行う。電池残量の表示を行う場合はシステム制御部５０がデータを生成しメモリ制御回路２２を介して画像表示メモリ２４へデータを書き込んだ後にＤ／Ａ変換器を介して画像表示を行う。
また、画像表示部２８はシステム制御部５０の指示にしたがって表示のＯＮ／ＯＦＦを任意に行うことが可能であり、表示をＯＦＦにした場合、電子カメラ１００の電力消費を大幅に低減することができる。
【００１２】
メモリ３０は撮影された静止画像や動画像を格納するもので、所定枚数の静止画像や所定時間の動画像を格納するのに十分な記憶容量を有している。
したがって、複数枚の静止画像を連続して撮影する連写撮影やパノラマ撮影の場合にも、高速かつ大量の画像書き込みをメモリ３０に対して行うことが可能である。
また、メモリ３０はシステム制御部５０の作業領域としても使用することが可能である。
圧縮・伸長回路３２は適応離散コサイン変換（ＡＤＣＴ）などにより画像データを圧縮伸長するものであり、メモリ３０に格納された画像を読み込んで圧縮処理あるいは伸長処理を行い、処理を終えたデータをメモリ３０に書き込む。
シャッタ制御部４０は設定された露光時間もしくは測光センサ４６からの測光情報に基づいて決められる露光時間を実現するようにシャッタ１２を制御する。
レンズユニット３００内の撮影レンズ３１０に入射した光束がミラー１３０で分割した後、サブミラー（図示せず）で反射して、ＡＦセンサ４２に光学像として結像する。ＡＦセンサ４２は、光学像として結像された画像の合焦状態を検出する。システム制御部５０はＡＦセンサ４２の検出結果に基づいて、インターフェース１２０および３２０を介してＡＦ制御部３４２にフォーカスレンズの駆動信号を出力する。ＡＦ制御部３４２は入力されたフォーカスレンズの駆動信号に基づいて撮影レンズ３１０のフォーカシングを制御する。
【００１３】
レンズユニット３００内の撮影レンズ３１０に入射した光束がミラー１３０で分割された後、ペンタプリズム１３２で反射して、測光センサ４６に光学像として結像する。測光センサ４６は、光学像として結像された画像の輝度を測定する。
調光センサ４８はフラッシュ部４９と連携することにより、ＥＦ（フラッシュ調光）処理機能を有する。フラッシュ部４９は、ＡＦ補助光の投光機能およびフラッシュ調光機能を有する。
【００１４】
システム制御部５０は電子カメラ１００全体を制御するものであり、既知のＣＰＵなどを内蔵する。
メモリ５２はシステム制御部５０の動作用の定数、変数、プログラムなどを記憶する。
メモリ５２には後述する図３のフローチャートとして示されるプログラムが記憶されている。
表示部５４はシステム制御部５０でのプログラムの実行に応じて、文字などで動作状態やメッセージなどを表示するものであり、電子カメラ１００の操作部近辺の視認し易い箇所に設置されている。
表示部５４は、ＬＣＤ、ＬＥＤなどの組み合わせにより構成されている。また、表示部５４の一部の機能は光学ファインダ１０４内に設けられている。
【００１５】
表示部５４の表示内容のうち、ＬＣＤなどに表示するものとしては、シングルショット／連写撮影表示、セルフタイマ表示、圧縮率表示、記録画素数表示、記録枚数表示、残撮影可能枚数表示などがある。
また、シャッタスピード表示、絞り値表示、露出補正表示、フラッシュ表示、赤目緩和表示、マクロ撮影表示、ブザー設定表示、エラー表示、複数桁の数字による情報表示、記録媒体２００の着脱状態を示す表示などがある。
さらに、記録媒体２１０の着脱状態の表示、レンズユニット３００の着脱状態の表示、通信Ｉ／Ｆ動作表示、日付・時刻表示、外部コンピュータとの接続状態を示す表示などがある。
また、表示部５４の表示内容のうち、光学ファインダ１０４内に表示するものとしては、合焦表示、撮影準備完了表示、手振れ警告表示、フラッシュ充電表示、フラッシュ充電完了表示などがある。
さらに、シャッタスピード表示、絞り値表示、露出補正表示、記録媒体書き込み動作表示などがある。
また、表示部５４の表示内容のうち、ＬＥＤ等に表示するものとしては、例えば、合焦表示、撮影準備完了表示、手振れ警告表示、フラッシュ充電表示、フラッシュ充電完了表示などがある。
さらに、記録媒体書き込み動作表示、マクロ撮影設定通知表示、二次電池充電表示などがある。
また、表示部５４の表示内容のうち、ランプ等に表示するものとしては、例えば、セルフタイマ通知ランプ等がある。
このセルフタイマ通知ランプはＡＦ補助光と共用してもよい。
【００１６】
不揮発性メモリ５６は後述するプログラムなどが格納された電気的に消去・記録可能であり、不揮発性メモリとしてフラッシュメモリやＥＥＰＲＯＭなどが用いられる。
モードダイアルスイッチ６０は、自動撮影モード、プログラム撮影モード、シャッタ速度優先撮影モード、絞り優先撮影モード、マニュアル撮影モード焦点深度優先（デプス）撮影モードに切り替えて設定することが可能である。
これらの他にも、ポートレート撮影モード、風景撮影モード、接写撮影モード、スポーツ撮影モード、夜景撮影モード、パノラマ撮影モードなどの各機能撮影モードに切り替えて設定することが可能である。
第１のシャッタースイッチ６２は、シャッターボタン（図示せず）の第１ストロークでＯＮとなり、ＡＦ（オートフォーカス）処理、ＡＥ（自動露出）処理、ＡＷＢ（オートホワイトバランス）処理、ＥＦ（フラッシュ調光）処理などの動作開始を指示する。
第２のシャッタースイッチ６４は、シャッターボタン（図示せず）の第２ストロークでＯＮとなる。
この第２のシャッタースイッチ６４は、撮像素子１４から読み出した信号をＡ／Ｄ変換器１６、メモリ制御回路２２を介してメモリ３０に書き込む露光処理、画像処理回路２０やメモリ制御回路２２での演算を用いた現像処理をする。
さらにメモリ３０から画像データを読み出し、圧縮・伸長回路３２で圧縮を行い、記録媒体２００、２１０に画像データを書き込む記録処理という一連の処理の動作開始を指示する。
再生スイッチ６６は、撮影モード状態で撮影した画像をメモリ３０あるいは記録媒体２００、２１０から読み出して画像表示部２８に表示する再生動作の開始を指示する。
単写／連写スイッチ６８は、第２のシャッタースイッチ６４を押した場合、１コマの撮影を行って待機状態とする単写モードと、第２のシャッタースイッチ６４を押している間、連続して撮影を行い続ける連写モードとを設定可能である。
ＩＳＯ感度設定スイッチ６９は、撮像素子１４あるいは画像処理回路２０におけるゲインの設定を変更することによりＩＳＯ感度を設定できる。
【００１７】
操作部７０は各種ボタンやタッチパネルなどである。
具体的には、メニューボタン、セットボタン、マクロボタン、マルチ画面再生改ページボタンなどがある。
また、フラッシュ設定ボタン、単写／連写／セルフタイマ切替ボタン、メニュー移動＋（プラス）ボタン、メニュー移動−（マイナス）ボタンなどがある。
【００１８】
電源着脱検知部７１は電池の装着の有無を検出する。
電源スイッチ７２は、電子カメラ１００の電源オン、電源オフの各モードを切り替え設定可能である。
また、電子カメラ１００に接続されたレンズユニット３００、外部ストロボ、記録媒体２００、２１０等の各種付属装置の電源オン、電源オフの設定も合わせて切り替え設定可能である。
電源制御部８０は、電池検出回路、ＤＣ−ＤＣコンバータ、通電するブロックを切り替えるスイッチ回路などから構成されている。
電池の種類、電池残量の検出を行い、その検出結果およびシステム制御部５０の指示に基づいてＤＣ−ＤＣコンバータを制御し、必要な電圧を必要な期間、記録媒体を含む各部に供給する。
【００１９】
コネクタ８４および８６は電源８８と接続される。
インターフェース９０および９４はメモリカードやハードディスク等の記録媒体とのインターフェースである。
コネクタ９２および９６はメモリカードやハードディスクなどの記録媒体との接続を行う。記録媒体着脱検知部９８はコネクタ９２、９６に記録媒体２００、２１０が装着されているか否かを検知する。
尚、本実施形態では、記録媒体を取り付けるインターフェースおよびコネクタが２系統装備されているが、記録媒体を取り付けるインターフェースおよびコネクタは単数あるいは任意の数の系統数装備されていてもよい。
【００２０】
光学ファインダ１０４は、撮影レンズ３１０に入射した光束がミラー１３０で分割された後、ペンタプリズム１３２で反射して、光学像として結像させて表示することが可能である。
これにより、画像表示部２８によるライブビュー機能を使用することなく、光学ファインダ１０４だけを用いて撮影を行うことが可能である。
また、光学ファインダ１０４内には、表示部５４の一部の機能、例えば、合焦表示、手振れ警告表示、フラッシュ充電表示、シャッタスピード表示、絞り値表示、露出補正表示などが設けられている。
通信部１１０は、ＲＳ２３２Ｃ、ＵＳＢ、ＩＥＥＥ１３９４、ＳＣＳＩ、モデム、ＬＡＮ、無線通信などの各種通信機能を有する。
【００２１】
インターフェース１２０はレンズマウント１０６内で電子カメラ１００をレンズユニット３００と接続するためのインターフェースである。
コネクタ１２２は電子カメラ１００をレンズユニット３００と電気的に接続する。
また、レンズマウント１０６およびコネクタ１２２にレンズユニット３００が装着されているか否かを検知するレンズ着脱検知部を構成することができる。
コネクタ１２２は電子カメラ１００とレンズユニット３００との間で制御信号、状態信号、データ信号などを伝え合うと共に、各種電圧の電流を供給する機能も備えている。
記録媒体２００は、半導体メモリや磁気ディスクなどから構成される記録部２０２、電子カメラ１００とのインターフェース２０４、および電子カメラ１００との接続を行うコネクタ２０６を有している。
記録媒体２１０は、半導体メモリや磁気ディスク等から構成される記録部２１２、電子カメラ１００とのインターフェース２１４、および電子カメラ１００との接続を行うコネクタ２１６を有している。
第３の温度センサ２０２−１は記録部２０２および２１２近傍の温度を測定する。すなわち、第３の温度センサ２０２−１は撮像装置内部の温度を測定している。記録部２０２および２１２は図２の符号Ｓで示される部分に位置するもので、温度センサ２０２−１は図２に示すように、記録部２０２および２１２の近傍に配置されている。第３の温度センサ２０２−１で測定される温度が所定値を超える場合には、第２のシャッタースイッチ６４がオンされたとしても、露光処理や現像処理を実行しないように制御される。
【００２２】
レンズマウント３０６はレンズユニット３００を電子カメラ１００と機械的に結合する。レンズマウント３０６内には、レンズユニット３００を電子カメラ１００と電気的に接続する各種機能が含まれている。
インターフェース３２０はレンズマウント３０６内でレンズユニット３００を電子カメラ１００と接続するためのインターフェースである。
コネクタ３２２はレンズユニット３００を電子カメラ１００と電気的に接続する。
コネクタ３２２は電子カメラ１００とレンズユニット３００との間で制御信号、状態信号、データ信号などを伝え合うと共に、各種電流が供給され、あるいは電流を供給する機能を備えている。
また、コネクタ３２２は電気信号だけでなく、光信号、音声信号などを伝達する構成としてもよい。
絞り制御部３４０は測光センサ４６からの測光情報に基づいて、絞り３１２を制御する。
ＡＦ制御部３４２は撮影レンズ３１０のフォーカシングを制御する。
ズーム制御部３４４は撮影レンズ３１０のズーミングを制御する。
レンズシステム制御部３５０はレンズユニット３００全体を制御する。
レンズシステム制御部３５０は、動作用の定数、変数、プログラムなどを記憶するメモリやレンズユニット３００固有の番号などの識別情報の機能も備えている。
さらに、管理情報、開放絞り値や最小絞り値、焦点距離等の機能情報、現在や過去の各設定値などを保持する不揮発メモリの機能も備えている。
【００２３】
つぎに、第１の温度センサ１４−１が故障等により異常であると判断された際、第２の温度センサ４６−１および第３の温度センサ２０２−１の出力に基づいて、撮像素子１４を制御する方法について説明する。
ライブビュー動作時以外は第１の温度センサ１４−１、第２の温度センサ４６−１および第３の温度センサ２０２−１の出力値に差は殆ど無い。しかし、ライブビュー動作中は撮像素子１４の温度が急激に上昇するので、第１の温度センサ１４−１、第２の温度センサ４６−１および第３の温度センサ２０２−１の出力値に大きな差が出る。
図３は電子カメラ１００がライブビュー動作を開始してからの第１の温度センサ１４−１、４６−１および第３の温度センサ２０２−１の出力値を示している。グラフＧ１は第１の温度センサ１４−１の出力値を示している。グラフＧ２は第３の温度センサ２０２−１の出力値を示している。グラフＧ３は第２の温度センサ４６−１の出力値を示している。そして、グラフＧ１’は第２の温度センサ４６−１および第３の温度センサ２０２−１から予測した第１の温度センサ１４−１の予測出力値である。
ライブビュー動作中は、撮像素子１４、測光センサ４６、記録部２０２に流れる電流は定電流である。したがって、第１の温度センサ１４−１、第２の温度センサ４６−１および第３の温度センサ２０２−１が測定する温度と温度上昇には差があるが上昇していく様子は同じである。
また、図２において、ライブビュー動作の開始後、１２０分でライブビュー動作を終了している。ライブビュー動作を終了した後の第１の温度センサ１４−１、第２の温度センサ４６−１および第３の温度センサ２０２−１の出力値は急激に低下し、ライブビュー動作の終了後の時間が経つにつれ、第１の温度センサ１４−１、第２の温度センサ４６−１および第３の温度センサ２０２−１の出力値は近い値になっていく。
【００２４】
このようなことから、２つの温度センサの出力値から残りの温度センサの出力値を予測することが可能である。
つまり、第２の温度センサ４６−１および第３の温度センサ２０２−１の出力値が近い値の場合は、ライブビュー動作を行っている最中ではなく、また、ライブビュー動作を終了した直後でもないため、第１の温度センサ１４−１の出力値も第２の温度センサ４６−１および第３の温度センサ２０２−１の出力値に近いことが考えられる。
また、第２の温度センサ４６−１と第３の温度センサ２０２−１の出力値に大きな差がある場合には、ライブビュー動作が行われている、もしくはライブビュー動作終了の直後であると考えられ、第１の温度センサ１４−１の出力値は第２の温度センサ４６−１および第３の温度センサ２０２−１の出力値と差があると考えられる。
【００２５】
以上のことを数式で表現すると、
第２の温度センサ４６−１および第３の温度センサ２０２−１の出力値の差Ｔ３を
Ｔ３＝（第３の温度センサ２０２−１の出力値）−（第２の温度センサ４６−１の出力値）
とすると、
Ｔ３≦０℃のとき、（第１の温度センサ１４−１の予測出力値）＝（第３の温度センサ２０２−１の出力値）となる。
また、
Ｔ３＞０℃のとき、（第１の温度センサ１４−１の予測出力値）＝（第３の温度センサ２０２−１の出力値）＋α×Ｔ３（αは定数）となる。
【００２６】
ここで、所定の係数であるαの値は本実施形態では１．５とするが、この値は本発明を適用する撮像装置の消費電流等による値を加味して設定する。
図３のグラフＧ１’は第２の温度センサ４６−１および第３の温度センサ２０２−１から予測した第１の温度センサ１４−１の予測出力値であるが、ライブビュー動作中の第１の温度センサ１４−１の出力値との差１０℃以内に収まっている。
また、図３から、第１の温度センサ１４−１、第２の温度センサ４６−１および第３の温度センサ２０２−１の出力値はライブビュー動作中およびライブビュー動作の終了直後には大きな差があるが、それ以外の状態ではほぼ同じ出力値となることがわかる。よって、第１の温度センサ１４−１の出力値が第２の温度センサ４６−１および第３の温度センサ２０２−１の出力値と比較して大きな差があって、かつ第２の温度センサ４６−１および第３の温度センサ２０２−１の出力値に大きな差がない場合には、第１の温度センサ１４−１に異常があると判断することができる。
これは、例えば、温度センサが壊れている、もしくは温度センサ自体は正常に動作しているが調整値がずれて出力値がオフセットしている場合が考えられる。
また、第２の温度センサ４６−１および第３の温度センサ２０２−１の出力値に大きな差がないことにより簡易的にこの２つの温度センサは正常であることが予測される。
【００２７】
以上の判断を、以下のように数式で表現することができる。
ＴＡを第１の温度センサ１４−１の出力値、ＴＢを第２の温度センサ４６−１の出力値、ＴＣを第３の温度センサ２０２−１の出力値とする場合、
ＴＡ−ＴＢ＝Ｔ１
ＴＡ−ＴＣ＝Ｔ２
ＴＣ−ＴＢ＝Ｔ３
とすると、
｜（Ｔ１ｏｒＴ２）｜＞１０℃  ∩  （｜Ｔ３｜＜５℃）
以上の条件が成り立つ場合に、温度センサ１４−１に何らかの異常が生じており、第２の温度センサ４６−１および第３の温度センサ２０２−１の出力値が信頼出来ると判断して、撮像素子１４の動作制御を第２の温度センサ４６−１および第３の温度センサ２０２−１の出力値から予測した第１の温度センサ１４−１の予測出力値を用いて行う。
【００２８】
つぎに、図４のフローチャートを用いて、本実施形態の動作について説明する。
電源スイッチ７２がオンされるとシステム制御部５０によりこれを検出し、電子カメラ１００の動作を開始する。
第２のシャッタースイッチ６４がＯＮすることによりシステム制御５０が開始する撮像動作の度に、図３のフローチャートの動作を行う。
まず、Ｓ１のステップでは、第２のシャッタースイッチ６４のＯＮ信号をシステム制御部５０が受け取り、動作を開始する。
次に、Ｓ２のステップでは、システム制御５０がライブビュー動作を行っているかを判断する。
すなわち、ライブビュー開始スイッチ１１３が押されていればライブビュー中であると判断し、Ｓ８のステップへ移行する。
Ｓ８のステップでは第１の温度センサ１４−１の出力値ＴＡにより撮像素子の動作を制御する。
【００２９】
ライブビュー中でなければＳ３のステップへ移行する。
Ｓ３のステップでは、最後に行ったライブビュー動作が終了してからの経過時間をシステム制御５０が、メモリ５２に保存されている経過時間情報を読み出すことにより判断する。
ライブビュー動作が終了してからの経過時間が１５分以内であればＳ８に移行する。
ライブビュー動作が終了してからの経過時間が１５分以上であればＳ４のステップへ移行する。
Ｓ４のステップでは、システム制御部５０が第１の温度センサ１４−１、第２の温度センサ４６−１および第３の温度センサ２０２−１の出力値を取得する。
次に、Ｓ５のステップでは、システム制御部５０がＳ４のステップで取得した第１の温度センサ１４−１、第２の温度センサ４６−１および第３の温度センサ２０２−１の出力値をそれぞれ比較する。
次に、Ｓ６のステップでは、システム制御部５０がＳ５のステップでの比較結果を用いて以下の判定を行う。
｜（Ｔ１ｏｒＴ２）｜＞１０℃  ∩  （｜Ｔ３｜＜５℃）
すなわち、判定手段としてのシステム制御部５０は、第１の温度センサの出力値と第２の温度センサの出力値との差の絶対値、または第１の温度センサの出力値と第３の温度センサの出力値との差の絶対値が第１の所定値である１０℃より大きく、かつ、第２の温度センサの出力値と第３の温度センサの出力値との差が第２の所定値である５℃より小さい、という条件を満たすかどうかを判定している。
【００３０】
この結果がＹＥＳであればＳ７のステップに移行し、この結果がＮＯであればＳ８のステップに移行する。Ｓ７のステップに移行すると、システム制御部５０は第２の温度センサ４６−１および第３の温度センサ２０２−１の出力値から予測される第１の温度センサ１４−１の予測出力値の演算を行う。ここで、システム制御部５０は演算手段として機能している。
そして、Ｓ９のステップに移行して、システム制御部５０は演算した第１の温度センサ１４−１の予測出力値を用いて、撮像素子１４の動作制御を行う。ここで、システム制御部５０は制御手段として機能している。
Ｓ７のステップにおける第１の温度センサ１４−１の予測出力値の演算は以下のとおりとする。
第２の温度センサ４６−１および第３の温度センサ２０２−１の出力値の差Ｔ３を
Ｔ３＝（第３の温度センサ２０２−１の出力値）−（第２の温度センサ４６−１の出力値）
とすると、
Ｔ３≦０℃のとき、（第１の温度センサ１４−１の予測出力値ＴＡ’）＝（第３の温度センサ２０２−１の出力値）となる。
また、
Ｔ３＞０℃のとき  （第１の温度センサ１４−１の予測出力値ＴＡ’）＝（第３の温度センサ２０２−１の出力値）＋１．５×Ｔ３となる。
【００３１】
また、Ｓ３のステップにてＹＥＳとなった場合、Ｓ６のステップにてＮＯとなった場合には、Ｓ８のステップに移行する。Ｓ８のステップでは、第１の温度センサ１４−１の出力値を用いて、撮像素子１４の動作制御を行う。以上のような動作がシステム制御部５０によって繰り返されることにより、第１の温度センサ１４−１に何らかの異常が生じ、その出力が信頼出来なくなったとしても、異常な出力値を用いて撮像素子１４の動作制御が行われることはない。したがって、仮に第１の温度センサ１４−１が故障したとしても撮像素子１４への影響を最小限に抑えることが可能となる。
【符号の説明】
【００３２】
５０：システム制御部
１００：電子カメラ
１４：撮像素子
１４−１：第１の温度センサ
４６−１：第２の温度センサ
２０２−１：第３の温度センサ
【図１】
2011082790.tif 000003
【図２】
2011082790.tif 000004
【図３】
2011082790.tif 000005
【図４】
2011082790.tif 000006